(57)【要約】【課題】本発明は、プリンタ内のインクを洗浄することができるプリンタ用のインク洗浄装置を提供する。【解決手段】本発明に係るプリンタ用のインク洗浄装置は、プリンタ内のインクガスを吸引するためのインク吸引カバー及びバルブモジュールを備える。バルブモジュールは、回転ギア及びインク吸引カバーに連接される２つのパイプを備え、回転ギアは、モーターの駆動によって回転され、回転ギアの対向する両側には、第一収容孔及び第二収容孔が設けられ、第一収容孔及び第二収容孔は仕切り板によって仕切られ、第一収容孔内には第一ファンが設置され、第二収容孔内には第二ファンが設置され、２つのパイプは第一収容孔内及び第二収容孔内にそれぞれ挿入され、回転ギアが回転する場合、第一ファン及び第二ファンのいずれか１つのファンはその対応するパイプによって吸気し、他のファンはその対応するパイプによって排気する。【選択図】図１
2014000810.tif 000002
【特許請求の範囲】
【請求項１】
プリンタ内のインクガスを吸引するためのインク吸引カバーを備えるプリンタ用のインク洗浄装置であって、
バルブモジュールをさらに備え、前記バルブモジュールは、回転ギア及び前記インク吸引カバーに連接される２つのパイプを備え、前記回転ギアは、モーターの駆動によって回転され、前記回転ギアの対向する両側には第一収容孔及び第二収容孔が設けられ、前記第一収容孔及び前記第二収容孔は仕切り板によって仕切られ、前記第一収容孔内には、第一ファンが設置され、前記第二収容孔内には第二ファンが設置され、２つのパイプは、第一収容孔内及び第二収容孔内にそれぞれ挿入され、前記回転ギアが回転する場合、前記第一ファン及び前記第二ファンのいずれか１つのファンはその対応するパイプによって吸気し、他のファンはその対応するパイプによって排気することを特徴とするプリンタ用のインク洗浄装置。
【請求項２】
前記モーターには駆動ギアが取り付けられ、前記駆動ギアと回転ギアとは、伝動モジュールによって連接され、前記駆動ギアとプリンタの噴出ヘッドとは無端ベルトによって連接され、前記モーターは、時計回り方向又は反時計回り方向に沿って駆動ギアを回転させることにより、噴出ヘッドを移動させることを特徴とする請求項１に記載のプリンタ用のインク洗浄装置。
【請求項３】
前記パイプは、第一パイプ及び該第一パイプと連通する第二パイプを備え、前記第一パイプは第一端部及び第二端部を備え、前記第一端部は、前記回転ギアの第一収容孔内又は第二収容孔内に挿入され、前記第二端部にはバルブが取り付けられ、前記バルブは、密封片と、固定片と、密封片と固定片とを連接するバネと、を備え、前記固定片は、第一パイプ内に固定され、前記固定片には、気流が通過することができる孔が形成され、前記密封片は、第一パイプ内でスライドすることができることを特徴とする請求項１または請求項２に記載のプリンタ用のインク洗浄装置。
【請求項４】
前記第一パイプの第二端部の内表面には複数の凹溝が設けられ、前記第一ファン又は第二ファンが排気する場合、前記密封片は気流の推進力によって凹溝の位置にスライドされ、これにより、気流は凹溝を介して前記第一パイプから排出され、前記第一ファン又は第二ファンが排気しない場合、前記密封片は、前記バネの弾性復帰力によって凹溝からずれた元の位置に戻り、これにより、第一パイプを密封することを特徴とする請求項３に記載のプリンタ用のインク洗浄装置。
【請求項５】
前記第二パイプは、前記第一パイプの中部及び前記インク吸引カバーに連接され、前記第二パイプ内には一方向バルブが取り付けられ、該一方向バルブは、気流が前記インク吸引カバーから前記第二パイプに流入することを許可するが、気流が第二パイプから流出することを防止することを特徴とする請求項３または請求項４に記載のプリンタ用のインク洗浄装置。
【発明の詳細な説明】
【技術分野】
【０００１】
本発明は、洗浄装置に関し、特にプリンタ内のインクを洗浄するためのインク洗浄装置に関するものである。
【背景技術】
【０００２】
インクジェットプリンタが印刷を行う時、噴出ヘッドから噴出されたインクは、印刷用紙に全て噴出されず、その一部は、周囲に向かって飛び散るため、プリンタ内の部品を汚す可能性がある。従って、プリンタが長期間使用されると、飛び散ったインクは徐々に蓄積されるため、プリンタ内の部品を損傷し、印刷用紙を汚染する可能性がある。
【発明の概要】
【発明が解決しようとする課題】
【０００３】
前記課題を解決するために、本発明は、プリンタ内のインクを洗浄することができるプリンタ用のインク洗浄装置を提供する。
【課題を解決するための手段】
【０００４】
本発明に係るプリンタ用のインク洗浄装置は、プリンタ内のインクガスを吸引するためのインク吸引カバー及びバルブモジュールを備える。前記バルブモジュールは、回転ギア及び前記インク吸引カバーに連接される２つのパイプを備え、前記回転ギアは、モーターの駆動によって回転され、前記回転ギアの対向する両側には、第一収容孔及び第二収容孔が設けられ、前記第一収容孔及び前記第二収容孔は仕切り板によって仕切られ、前記第一収容孔内には第一ファンが設置され、前記第二収容孔内には第二ファンが設置され、２つのパイプは第一収容孔内及び第二収容孔内にそれぞれ挿入され、前記回転ギアが回転する場合、前記第一ファン及び前記第二ファンのいずれか１つのファンはその対応するパイプによって吸気し、他のファンはその対応するパイプによって排気する。
【発明の効果】
【０００５】
従来の技術と比べて、本発明のプリンタ用のインク洗浄装置において、バルブモジュールの２つのパイプ利用して、インク吸引カバーによって吸引されたインクガスを交互に排出する。これにより、プリンタ内のインクを洗浄することができる。
【図面の簡単な説明】
【０００６】
【図１】本発明の実施形態に係るインク洗浄装置の立体図である。
【図２】図１に示したインク洗浄装置のバルブモジュールの分解図である。
【図３】図１に示したインク洗浄装置のＩＩＩ―ＩＩＩに沿った断面図である。
【発明を実施するための形態】
【０００７】
以下、図面を参照して、本発明の実施形態について説明する。
【０００８】
図１を参照すると、本発明の実施形態に係るプリンタ用のインク洗浄装置は、インク吸引カバー１０と、２本のホース１１と、バルブモジュール２０と、伝動モジュール３０と、駆動モジュール８０と、を備える。本実施形態において、駆動モジュール８０は、印刷用紙にインクを噴出するための噴出ヘッド（図示せず）を移動させるために用いられる。
【０００９】
図２を参照すると、バルブモジュール２０は、回転ギア２１及び２つのパイプ４０を備える。回転ギア２１の一端には、第一収容孔２１１が設けられ、回転ギア２１の他端には、第二収容孔２１２が設けられている。第一収容孔２１１と第二収容孔２１２とは、仕切り板２３によって仕切られる。第一収容孔２１１内には、第一シャフト２２１が設置され、第二収容孔２１２内には、第二シャフト２２２（図３を参照）が設置されている。第一シャフト２２１には第一ファン２４が回転自在に取り付けられ、第二シャフト２２２には第二ファン２５が回転自在に取り付けられる。
【００１０】
パイプ４０は、第一パイプ４１と、該第一パイプ４１の中部に連接され且つ該第一パイプ４１と連通する第二パイプ４２と、を備える。第一パイプ４１は、第一端部４１１及び該第一端部４１１に対向する第二端部４１２を備える。第一端部４１１は、回転ギア２１の第一収容孔２１１内又は第二収容孔２１２内に挿入することができ、且つ仕切り板２３と密封状態を形成する。
【００１１】
図３を参照すると、第一パイプ４１の第二端部４１２には、バルブ４３が取り付けられている。バルブ４３は、密封片４３１と、固定片４３２と、密封片４３１及び固定片４３２を連接するバネ４３３と、を備える。固定片４３２は第一パイプ４１内に固定される。また、固定片４３２の中心には孔が形成されている。密封片４３１は、第一パイプ４１内に摺動自在に取り付けられる。密封片４３１は、第一パイプ４１を密封することができる。第一パイプ４１の第二端部４１２の内表面には、複数の凹溝４０１が設けられている。密封片４３１は、密封位置から非密封位置（つまり、複数の凹溝４０１が設けられている箇所）にスライドすることができる。密封片４３１が前記非密封位置にある場合、バネ４３３は、弾性的に引き伸ばされ、密封片４３１は、複数の凹溝４０１の位置にスライドされる。これにより、第一パイプ４１の内部と第一パイプ４１の外部とは、複数の凹溝４０１によって連通される。バネ４３３が弾性復帰すると、密封片４３１は、複数の凹溝４０１からずれる位置にスライドされ、第一パイプ４１を密封する。
【００１２】
第二パイプ４２内には、一方向バルブ４２１が取り付けられる。該一方向バルブ４２１は、気流が第二パイプ４２に流入することを許可するが、気流が第二パイプ４２から流出することを防止する。
【００１３】
図１を参照すると、駆動モジュール８０は、モーター８１及びモーター８１に取り付けられる駆動ギア８２を備える。該モーター８１は駆動ギア８２を回転させる。無端ベルト８３は、駆動ギア８２及び噴出ヘッドを連接する。モーター８１は、時計回り方向又は反時計回り方向に沿って駆動ギア８２を回転させることにより、プリンタ内において噴出ヘッドを左右に移動させる。
【００１４】
伝動モジュール３０は、駆動ギア８２と回転ギア２１との間に連結される。これにより、駆動ギア８２が回転すると、伝動モジュール３０によって回転ギア２１も回転する。
【００１５】
プリンタ用のインク洗浄装置を組み立てる場合、２つのパイプ４０の第一パイプ４１の第一端部４１１を、回転ギア２１の第一収容孔２１１内及び第二収容孔２１２内にそれぞれ挿入し、回転ギア２１を、伝動モジュール３０を介して駆動ギア８２と連結させて、２つのパイプ４０の第二パイプ４２を、２本のホース１１を介してインク吸引カバー１０にそれぞれ連接させる。
【００１６】
プリンタ用のインク洗浄装置を作動させる場合、モーター８１によって駆動ギア８２を回転させて、噴出ヘッドを、印刷媒体上にインクを噴射するように移動させる。この時、回転ギア２１は、駆動ギア８２によって回転し、第一ファン２４及び第二ファン２５は、回転ギア２１と共に回転する。第一ファン２４の回転方向と第二ファン２５の回転方向とは、同じであるため、第一ファン２４が排気すると、第二ファン２５は吸気し、第一ファン２４が吸気すると、第二ファン２５は排気する。本実施形態において、モーター８１が時計回り方向に沿って回転すると、第一ファン２４は吸気し、第二ファン２５は排気する。モーター８１が反時計回り方向に沿って回転すると、第一ファン２４は排気し、第二ファン２５は吸気する。
【００１７】
第一ファン２４が吸気する時、インク吸引カバー１０はインクガスを吸引し、次いで吸引されたインクガスは、第二パイプ４２の一方向バルブ４２１を介して第一パイプ４１に吸入される。密封片４３１は、第一ファン２４の吸引力によって凹溝４０１の位置にスライドされないため、第一パイプ４１の第二端部４１２を密封し、外部の空気が第一パイプ４１に吸入されることを防止することができる。
【００１８】
第一ファン２４が排気する時、密封片４３１は、第一ファン２４が駆動した気流の推進力によって凹溝４０１の位置にスライドされるため、第一パイプ４１に吸入されたインクガスは、凹溝４０１を介して第一パイプ４１から排出される。また、第二パイプ４２内に一方向バルブ４２１が設置されているため、第一パイプ４１内のインクガスはホース１１の中に流入しない。第一ファン２４が排気しない時、密封片４３１は、バネ４３３の弾性復帰力によって凹溝４０１からずれた元の位置に戻る。これにより、第一パイプ４１の第二端部４１２が密封される。第二ファン２５の動作過程は、第一ファン２４の動作過程と同様であるため、ここでの説明は省略する。
【００１９】
本発明のプリンタ用のインク洗浄装置において、プリンタの噴出ヘッドが移動すると同時に、バルブモジュール２０の２つのパイプ４０は、インクガスを交互に吸入及び排出する。従って、プリンタ内のインクガスを排出し続けることができる。
【符号の説明】
【００２０】
１０  インク吸引カバー
１１  ホース
２０  バルブモジュール
２１  回転ギア
２１１  第一収容孔
２１２  第二収容孔
２２１  第一シャフト
２２２  第二シャフト
２３  仕切り板
２４  第一ファン
２５  第二ファン
４０  パイプ
４０１  凹溝
４１  第一パイプ
４１１  第一端部
４１２  第二端部
４２  第二パイプ
４２１  一方向バルブ
４３  バルブ
４３１  密封片
４３２  固定片
４３３  バネ
３０  伝動モジュール
８０  駆動モジュール
８１  モーター
８２  駆動ギア
８３  無端ベルト
【図１】
2014000810.tif 000003
【図２】
2014000810.tif 000004
【図３】
2014000810.tif 000005